(57)【要約】【課題】撮影した複数枚の画像の評価を容易に行うことのできるカメラを提供することを目的とする。【解決手段】被写体の像を連写撮影する撮像部と、該撮像部により取得された複数枚の画像を複数組のグループに分割する分割部と、該分割部により分割された各グループの中からそれぞれ代表画像を決定する代表画像決定部と、該代表画像決定部により決定された各グループの代表画像を対比可能に表示する表示部とを備えるカメラを採用する。【選択図】図３
2009124492.tif 000002
【特許請求の範囲】
【請求項１】
被写体の像を連写撮影する撮像部と、
該撮像部により取得された複数枚の画像を複数組のグループに分割する分割部と、
該分割部により分割された各グループの中からそれぞれ代表画像を決定する代表画像決定部と、
該代表画像決定部により決定された各グループの代表画像を対比可能に表示する表示部とを備えるカメラ。
【請求項２】
前記分割部が、所定の時間毎に複数枚の画像のグループ分けを行う請求項１に記載のカメラ。
【請求項３】
時間軸方向に隣接して取得された２枚の画像の差異を検出する差異検出部を備え、
前記分割部が、前記差異検出部により検出された差異の大きさが所定の閾値以上の場合に、前記２枚の画像を異なるグループに分類する請求項１に記載のカメラ。
【請求項４】
前記代表画像決定部が、各グループ内において最も多くの高域成分を含む画像を代表画像として決定する請求項１から請求項３のいずれかに記載のカメラ。
【請求項５】
前記代表画像決定部が、各グループ内において高域成分が最も少ない画像を代表画像として決定する請求項１から請求項３のいずれかに記載のカメラ。
【請求項６】
前記代表画像決定部が、各グループ内において最も高いコントラストを有する画像を代表画像として決定する請求項１から請求項３のいずれかに記載のカメラ。
【請求項７】
前記代表画像決定部が、各グループ内において最も高い彩度を有する画像を代表画像として決定する請求項１から請求項３のいずれかに記載のカメラ。
【請求項８】
前記代表画像決定部が、各グループ内において画像における主要被写体の位置が中央に最も近い画像を代表画像として決定する請求項１から請求項３のいずれかに記載のカメラ。
【請求項９】
前記代表画像決定部が、各グループ内において被写体となる人物の表情を決定する表情評価値が最も高い画像を代表画像として決定する請求項１から請求項３のいずれかに記載のカメラ。
【発明の詳細な説明】
【技術分野】
【０００１】
本発明は、撮影した画像をグループ毎に表示するカメラに関するものである。
【背景技術】
【０００２】
従来、ブラケット撮影により撮影された複数枚の画像を、撮影条件とともに複数枚表示する、あるいは、１枚ずつ表示する技術が知られている（例えば、特許文献１参照）。
【特許文献１】特開２００５−８０１６０号公報
【発明の開示】
【発明が解決しようとする課題】
【０００３】
しかしながら、上記技術では、高速連写撮影を行った場合には撮影条件は殆ど変化しないため、画像の良し悪しを判断することが難しかった。また、１枚ずつ表示する場合には、過去に表示した画像と現在表示している画像との比較が困難であるという不都合があった。
【０００４】
本発明は、このような事情に鑑みてなされたものであって、撮影した複数枚の画像の評価を容易に行うことのできるカメラを提供することを目的とする。
【課題を解決するための手段】
【０００５】
上記課題を解決するために、本発明は以下の手段を採用する。
本発明は、被写体の像を連写撮影する撮像部と、該撮像部により取得された複数枚の画像を複数組のグループに分割する分割部と、該分割部により分割された各グループの中からそれぞれ代表画像を決定する代表画像決定部と、該代表画像決定部により決定された各グループの代表画像を対比可能に表示する表示部とを備えるカメラを採用する。
【０００６】
本発明によれば、撮像部により取得された複数枚の画像が分割部により複数組のグループに分割され、代表画像決定部により各グループの中からそれぞれ代表画像が決定される。そして、表示部に各グループの代表画像が対比可能に表示される。ここで、連写撮影中に撮影条件が大きく変動することは稀であるため、ユーザは、各グループの代表画像を確認することにより、各グループを構成する画像の状態を推認することができる。したがって、連写撮影により似たような画像が大量に取得されてしまった場合においても、ユーザは、撮影された全ての画像を確認することなく、各グループの代表画像のみを確認して選択するグループを決定することで、画像の取捨選択を効率的に行うことが可能となる。
【０００７】
また、上記発明において、前記分割部が、所定の時間毎に複数枚の画像のグループ分けを行うこととしてもよい。
このようにすることで、撮影した画像を一定周期毎にグループ分けすることができ、各グループの代表画像を確認することで、経時的に変化する被写体の状態を推認することが可能となる。これにより、所望する被写体の状態を撮影した画像が、どのグループに入っているかを容易に特定することができる。
【０００８】
また、上記発明において、時間軸方向に隣接して取得された２枚の画像の差異を検出する差異検出部を備え、前記分割部が、前記差異検出部により検出された差異の大きさが所定の閾値以上の場合に、前記２枚の画像を異なるグループに分類することとしてもよい。
このようにすることで、１フレーム前に取得された画像と比べて、被写体の状態変化が小さな画像については同じグループに分類し、被写体の状態変化が大きな画像については異なるグループに分類することができる。これにより、被写体の状態毎にグループ分けを行うことができ、様々な状態の被写体を撮影した各グループの代表画像を確認して、所望の画像を選択することが可能となる。
【０００９】
また、上記発明において、前記代表画像決定部が、各グループ内において最も多くの高域成分を含む画像を代表画像として決定することとしてもよい。
このようにすることで、各グループを代表する代表画像として最も鮮明な画像を選択でき、鮮明な画像同士を対比することで、不鮮明な画像を対比する時間を省くことができる。
【００１０】
また、上記発明において、前記代表画像決定部が、各グループ内において高域成分が最も少ない画像を代表画像として決定することとしてもよい。
このようにすることで、各グループを代表する代表画像として最も滑らかな画像を選択でき、滑らかな画像同士を対比することで、ノイズが多い画像を対比する時間を省くことができる。
【００１１】
また、上記発明において、前記代表画像決定部が、各グループ内において最も高いコントラストを有する画像を代表画像として決定することとしてもよい。
このようにすることで、各グループを代表する代表画像として最もピントのあった画像とすることができ、ピントのあった画像同士を対比することで、ピントのずれた画像を対比する時間を省くことができる。
【００１２】
また、上記発明において、前記代表画像決定部が、各グループ内において最も高い彩度を有する画像を代表画像として決定することとしてもよい。
このようにすることで、各グループを代表する代表画像として最も色鮮やかな画像とすることができ、色鮮やかな画像同士を対比することで、くすんだ色の画像を対比する時間を省くことができる。
【００１３】
また、上記発明において、前記代表画像決定部が、各グループ内において画像における主要被写体の位置が中央に最も近い画像を代表画像として決定することとしてもよい。
このようにすることで、各グループを代表する代表画像として、顔等の主要被写体が最も中央に近い画像とすることができ、これらの代表画像同士を対比することで、主要被写体の位置が中央から外れた画像を対比する時間を省くことができる。
【００１４】
また、上記発明において、前記代表画像決定部が、各グループ内において被写体となる人物の表情を決定する表情評価値が最も高い画像を代表画像として決定することとしてもよい。
このようにすることで、各グループを代表する代表画像として、例えば、笑顔度等の表情評価値が最も高い画像とすることができ、これらの代表画像同士を対比することで、被写体となる人物の表情が悪い画像を対比する時間を省くことができる。
【発明の効果】
【００１５】
本発明によれば、撮影した複数枚の画像の評価を容易に行うことのできるという効果を奏する。
【発明を実施するための最良の形態】
【００１６】
〔第１の実施形態〕
以下、本発明の第１の実施形態に係るカメラについて、図面を参照して説明する。
本実施形態に係るカメラ１は、図１および図２に示すように、略直方体形状に形成されたカメラ本体３と、該カメラ本体３の前面に突出可能に設けられ、外部からの光を集めて被写体の像を結像させるレンズユニット５と、カメラ本体３の上端面に設けられ、前記レンズユニット５からの画像を取得する操作を行うシャッタ操作部７と、カメラ本体３の背面に設けられ、取得された画像を表示する表示部３１とを備えている。
【００１７】
カメラ本体３は、図３に示すように、レンズユニット５により結像された被写体の像を所定のフレームレートで連写撮影するＣＣＤ等の撮像部９と、撮像部９により取得されたアナログ画像データをデジタル画像データに変換するアナログフロントエンド（以下「ＡＦＥ」という。）１１と、撮像部９により取得された画像データを記録する記録部１７と、撮像部９により取得された画像データを複数組のグループに分割する分割部４１と、分割部４１により分割された各グループの中からそれぞれ代表画像を決定する代表画像決定部４３と、複数枚の代表画像を対比可能に表示する表示部３１と、装置全体の制御を行う全体制御部１５とを備えている。
【００１８】
シャッタ操作部７は、カメラ本体３の上端面に対して垂直方向に押し込み可能な押しボタン式のシャッタボタン１２３を備えており、所定量を押し込むことによりシャッタが切られるようになっている。
【００１９】
全体制御部１５は、カメラ全体を制御する全体コントローラ１９と、ＡＦＥ１１から出力されるデジタル信号をカラー補正やＪＰＥＧ圧縮等の処理を行う映像信号処理部２１と、全体コントローラ１９から送られる制御信号に基づいてＡＦＥ１１を制御するゲイン制御部２３と、全体コントローラ１９から送られる制御信号に基づいて撮像部９およびＡＦＥ１１を制御するタイミング制御部２５と、全体コントローラ１９から送られる制御信号に基づいてレンズユニット５を制御するレンズユニット制御部２７とを備えている。
【００２０】
記録部１７は、画像データを一時的に記憶するバッファメモリ２９と、バッファメモリ２９に記憶された画像データを保存するカードインターフェース３３とを備えている。
【００２１】
分割部４１は、撮像部９により取得された複数枚の画像を、所定の時間毎に複数組のグループに分割するようになっている。具体的には、図４に示すように、撮像部９により取得された複数枚の画像を、時刻ｔ０から時刻ｔ１までに撮影されたグループＡ、時刻ｔ１から時刻ｔ２までに撮影されたグループＢ、時刻ｔ２から時刻ｔ３までに撮影されたグループＣに分類する。
【００２２】
代表画像決定部４３は、分割部４１により分割された各グループ内において最も多くの高域成分を含む画像を代表画像として決定するようになっている。具体的には、図４に示すように、グループＡを構成する画像Ａ１、画像Ａ２、および画像Ａ３の各画像に含まれる高域成分を検出し、これら３枚の画像のうち最も多くの高域成分を含む画像をグループＡの代表画像として決定する。さらに、同様にして、グループＢの代表画像およびグループＣの代表画像を決定する。
ここでは、グループＡの代表画像として画像Ａ１、グループＢの代表画像として画像Ｂ１、グループＣの代表画像として画像Ｃ１が決定されたものとして以下に説明する。
【００２３】
表示部３１は、代表画像決定部４３により決定された各グループの代表画像を対比可能に表示するようになっている。
【００２４】
全体コントローラ１９は、例えば、図示しないＣＰＵ（Central  Processing  Unit）、ＲＯＭ（Read  Only  Memory）、ＲＡＭ（Random  Access  Memory）等から構成されている。複数枚の画像から所望の画像を選択するための一連の処理の過程は、プログラムの形式でＲＯＭ等に記録されており、このプログラムをＣＰＵがＲＡＭ等に読み出して、情報の加工・演算処理を実行することにより各処理が実現される。
【００２５】
上記の画像選択プログラムは、複数枚の画像を対比可能に表示させる表示処理と、該表示処理により表示された複数枚の画像の中から少なくとも１枚の画像を選択することをユーザに促す画像選択処理と、該画像選択処理により選択されなかった画像に代えて新たな画像を表示させる更新処理と、前記画像選択処理と前記更新処理とを繰り返す繰り返し処理とを全体コントローラ１９に実行させるようになっている。
【００２６】
上記のように構成されたカメラ１の作用について以下に説明する。
カメラ１が起動されると、レンズユニット５を介して結像される被写体の像が、撮像部９により取得されてアナログ画像データとして出力され、ＡＦＥ１１においてデジタル画像データに変換される。そして、該画像データは、映像信号処理部２１において画像処理が施され、全体制御部１５を介して表示部３１に表示される。
【００２７】
この際、シャッタボタン１２３が所定量押し込まれると、全体制御部１５において、映像信号処理部２１から出力されるその時点の被写体のデジタル画像信号に基づいて、ゲイン制御部２３、タイミング制御部２５、およびレンズユニット制御部２７が作動する。これにより、撮影画像が適正露光になるように、レンズユニット５、撮像部９およびＡＦＥ１１がそれぞれ制御されて、撮像部９において被写体の画像データが取得される。
【００２８】
このように撮像部９により取得された画像データは、全体コントローラ１９を介してバッファメモリ２９に出力されて一時的に記憶される。バッファメモリ２９に記憶された画像データは、全体コントローラ１９の作動により、表示部３１に静止画像として表示したり、カードインターフェース３３に保存したりすることができる。
【００２９】
撮影が終了し、ユーザにより画像選択モードが選択されると、分割部４１により画像データのグループ分けが行われる。すなわち、分割部４１により記録部１７から複数枚の画像が読み出され、図４に示すように、時刻ｔ０から時刻ｔ１までに撮影された画像をグループＡ、時刻ｔ１から時刻ｔ２までに撮影された画像をグループＢ、時刻ｔ２から時刻ｔ３までに撮影された画像をグループＣに分類する。
【００３０】
次に、代表画像決定部４３により各グループの代表画像が決定される。すなわち、図４に示すように、代表画像決定部４３によりグループＡを構成する画像Ａ１、画像Ａ２、および画像Ａ３の各画像に含まれる高域成分が検出され、これら３枚の画像のうち最も多くの高域成分を含む画像Ａ１がグループＡの代表画像として決定される。同様にして、グループＢの代表画像として画像Ｂ１、グループＣの代表画像として画像Ｃ１が決定される。
このように決定された各グループの代表画像が表示部３１に対比可能に表示される。
【００３１】
上記の処理について、図５に示すフローチャートを用いて以下に説明する。
上述のように、撮影された画像が複数組のグループに分割され（Ｓ１）、各グループの代表画像として、画像Ａ１、画像Ｂ１、および画像Ｃ１が決定され（Ｓ２）、まず画像Ａ１および画像Ｂ１が表示部３１に対比可能に表示される（Ｓ３）。
【００３２】
次に、表示部３１に表示された複数枚の代表画像から、所望の画像をユーザに選択させる際の処理について以下に説明する。
勝ち抜き方式による画像表示が開始されると、ユーザにより画像の選択が行われ（Ｓ４）、ユーザが画像Ａ１を選択した場合には画像Ｂ１が表示部３１から削除され（Ｓ５）、ユーザが画像Ｂ１を選択した場合には画像Ａ１が表示部３１から削除される（Ｓ６）。
【００３３】
そして、まだユーザによる選択が行われていない画像、すなわち、未選択画像が有るか否かが判定される（Ｓ７）。未選択画像がある場合には、消去された画像の領域に新たな画像を表示して（Ｓ８）、Ｓ１からＳ７までの処理を繰り返し、未選択画像が無くなった場合には画像選択処理を終了する。
【００３４】
上記の処理について、図６に示す具体例を用いて以下に説明する。
図６に示すように、表示部３１に画像Ａ１と画像Ｂ１とが対比可能に表示され、ユーザの選択が促される。画像Ａ１の方が画像Ｂ１よりも所望の画像に合致していると、ユーザが判断した場合、ユーザの操作により画像Ａ１が選択される。そして、画像Ａ１については表示部３１に表示させたままとしておき、画像Ｂ１については新たな画像Ｃ１に入れ替えられる。
上記の処理を繰り返していくことで、最終的に残った画像が所望の画像に最も近くなり、ユーザは、最終的に残った画像のグループの中から所望の画像を容易に選択することができる。
【００３５】
以上説明したように、本実施形態に係るカメラによれば、撮像部９により取得された複数枚の画像が分割部４１により複数組のグループに分割され、代表画像決定部４３により各グループの中からそれぞれ代表画像が決定される。そして、表示部３１に各グループの代表画像が対比可能に表示される。ここで、連写撮影中に撮影条件が大きく変動することは稀であるため、ユーザは、各グループの代表画像を確認することにより、各グループを構成する画像の状態を推認することができる。したがって、連写撮影により似たような画像が大量に取得されてしまった場合においても、ユーザは、撮影された全ての画像を確認することなく、各グループの代表画像のみを確認して選択するグループを決定することで、画像の取捨選択を効率的に行うことが可能となる。
【００３６】
また、分割部４１が、所定の時間毎に複数枚の画像のグループ分けを行うことで、撮影した画像を一定周期毎にグループ分けすることができ、各グループの代表画像を確認することで、経時的に変化する被写体の状態を推認することが可能となる。これにより、所望する被写体の状態を撮影した画像が、どのグループに入っているかを容易に特定することができる。
【００３７】
また、代表画像決定部４３が、各グループ内において最も多くの高域成分を含む画像を代表画像として決定することで、各グループを代表する代表画像として最も鮮明な画像を選択でき、鮮明な画像同士を対比することで、不鮮明な画像を対比する時間を省くことができる。
【００３８】
また、本実施形態に係るカメラが採用する画像選択プログラムによれば、表示処理により対比可能に表示された複数枚の画像の中から、画像選択処理により少なくとも１枚の画像が選択され、該画像が更新処理により表示された新たな画像と対比可能に表示される。
このようにすることで、複数枚の画像を対比させて各画像の優劣を決めることができる。そして、繰り返し処理により一連の処理を繰り返すことで、複数枚の画像の勝ち抜き戦が行われ、これにより複数枚の画像の中から所望の画像を容易に選び出すことが可能となる。
【００３９】
なお、本実施形態の第１の変形例として、分割部４１が、予め設定されたグループ数となるように複数枚の画像を分類することとしてもよい。
このようにすることで、例えば、グループ数を３と予め設定すると、図７（ａ）に示すように連写枚数が９枚の場合でも、図７（ｂ）に示すように連写枚数が１３枚の場合でも、分割部４１により各画像は３つのグループに分類され、代表画像決定部４３により３枚の代表画像が決定される。すなわち、本変形例に係るカメラによれば、連写枚数に関わらず、代表画像の枚数を一定とすることができる。
【００４０】
また、本実施形態の第２の変形例として、図８に示すように、時間軸方向に隣接して取得された２枚の画像の差異を検出する差異検出部４５を備え、分割部４１が、差異検出部４５により検出された差異の大きさが所定の閾値以上の場合に、前記２枚の画像を異なるグループに分類することとしてもよい。
このようにすることで、図９に示すように、１フレーム前に取得された画像と比べて、被写体の状態変化が小さな画像については同じグループに分類し、被写体の状態変化が大きな画像については異なるグループに分類することができる。これにより、被写体の状態毎にグループ分けを行うことができ、様々な状態の被写体を撮影した各グループの代表画像を確認して、所望の画像を選択することが可能となる。
【００４１】
また、本実施形態の第３の変形例として、代表画像決定部４３が、各グループ内において高域成分が最も少ない画像を代表画像として決定することとしてもよい。
このようにすることで、各グループを代表する代表画像として最も滑らかな画像を選択でき、滑らかな画像同士を対比することで、ノイズが多い画像を対比する時間を省くことができる。
【００４２】
また、本実施形態の第４の変形例として、代表画像決定部４３が、各グループ内において最も高いコントラストを有する画像を代表画像として決定することとしてもよい。
このようにすることで、各グループを代表する代表画像として最もピントのあった画像とすることができ、ピントのあった画像同士を対比することで、ピントのずれた画像を対比する時間を省くことができる。
【００４３】
また、本実施形態の第５の変形例として、代表画像決定部４３が、各グループ内において最も高い彩度を有する画像を代表画像として決定することとしてもよい。
このようにすることで、各グループを代表する代表画像として最も色鮮やかな画像とすることができ、色鮮やかな画像同士を対比することで、くすんだ色の画像を対比する時間を省くことができる。
【００４４】
また、本実施形態の第６の変形例として、代表画像決定部４３が、各グループ内において画像における主要被写体の位置が中央に最も近い画像を代表画像として決定することとしてもよい。
このようにすることで、各グループを代表する代表画像として、顔等の主要被写体が最も中央に近い画像とすることができ、これらの代表画像同士を対比することで、主要被写体の位置が中央から外れた画像を対比する時間を省くことができる。
【００４５】
また、本実施形態の第７の変形例として、各グループ内において被写体となる人物の表情を決定する表情評価値が最も高い画像を代表画像として決定することとしてもよい。
このようにすることで、各グループを代表する代表画像として、例えば、笑顔度等の表情評価値が最も高い画像とすることができ、これらの代表画像同士を対比することで、被写体となる人物の表情が悪い画像を対比する時間を省くことができる。
【００４６】
〔第２の実施形態〕
次に、本発明の第２の実施形態について以下に説明する。
本実施形態に係るカメラが第１の実施形態と異なる点は、複数枚の画像から所望の画像をユーザに選択させる際に使用するプログラムとして、トーナメント方式による画像選択プログラムが全体コントローラ１９に記録されている点である。以下、本実施形態のカメラについて、第１の実施形態と共通する点については説明を省略し、異なる点について主に説明する。
【００４７】
本実施形態に係るカメラが採用する画像処理プログラムは、表示する画像のランクを設定するランク設定処理と、設定されたランクの複数枚の画像を対比可能に表示させる表示処理と、該表示処理により表示された複数枚の画像の中から少なくとも１枚の画像を選択することをユーザに促す画像選択処理と、該画像選択処理により選択された画像のランクを上げるとともに、選択されなかった画像のランクを下げるランク変更処理と、設定されているランクの画像の有無を判定し、画像が無くなったときには表示する画像のランクを上げるランク切り替え処理と、表示されている全ての画像を新たな画像に入れ替える更新処理と、前記画像選択処理から前記更新処理までを繰り返す繰り返し処理とを全体コントローラ１９に実行させるようになっている。
【００４８】
以下に、図１０に示すフローチャートを用いて、上記の画像選択プログラムによる画像選択処理について説明する。
トーナメント方式による画像表示が開始されると、前述のように、撮影された画像が複数組のグループに分割され（Ｓ１１）、各グループの代表画像が決定される（Ｓ１２）。
次に、全ての画像のタグ番号ｔ＝ｎとされ（Ｓ１３）、例えば、画像Ａ１および画像Ｂ１が表示部３１に対比可能に表示される（Ｓ１４）。ここで、タグ番号ｔは、画像のランクを表す番号である。
【００４９】
そして、ユーザにより画像の選択が行われ（Ｓ１５）、ユーザが画像Ａ１を選択した場合には、画像Ａ１のタグ番号ｔがインクリメントされ、ｔ＝ｎ＋１とされる。また、画像Ｂ１のタグ番号ｔがデクリメントされ、ｔ＝ｎ−１とされる。すなわち、画像Ａ１のランクが１段階上げられるとともに、画像Ｂ１のランクが１段階下げられる（Ｓ１６）。一方、ユーザが画像Ｂ１を選択した場合には、画像Ｂ１のタグ番号ｔがインクリメントされてｔ＝ｎ＋１とされるとともに、画像Ａ１のタグ番号ｔがデクリメントされてｔ＝ｎ−１とされる（Ｓ１７）。
【００５０】
そして、タグ番号ｔ＝ｎの画像が有るか否か、すなわち、ランクｎの画像の有無が判定される（Ｓ１８）。
Ｓ１８において、タグ番号ｔ＝ｎの画像がある場合には、新たな画像を表示して（Ｓ２１）、Ｓ１５からＳ１８までの処理を繰り返す。この際、ランクｎの画像が複数ある場合には２枚の画像を対比して表示させる。一方、ランクｎの画像が１枚の場合には当該画像を表示させ、Ｓ１５において当該画像をユーザに選択させることとしてもよいし、自動的に当該画像を選択し、当該画像のタグ番号ｔをインクリメントしてｔ＝ｎ＋１とすることとしてもよい。
【００５１】
一方、Ｓ１８において、タグ番号ｔ＝ｎの画像がない場合には、表示する画像のランクｎを１段階上げてｎ＋１にする（Ｓ１９）。
そして、タグ番号ｔ＝ｎの画像が２枚以上あるか否かが判定される（Ｓ２０）。タグ番号ｔ＝ｎの画像が２枚以上ある場合には前述のＳ２１の処理が行われ、タグ番号ｔ＝ｎの画像が２枚以上ない場合、すなわち、最終的に１枚の画像が残った場合に画像選択処理を終了する。
【００５２】
上記の処理について、図１１に示す具体例を用いて以下に説明する。
ここでは、グループＡを代表する画像Ａ１、グループＢを代表する画像Ｂ１、グループＣを代表する画像Ｃ１、およびグループＤを代表する画像Ｄ１の４枚の画像が、各グループの代表画像として決定されたものとして説明する。
【００５３】
まず、図１１（ａ）に示すように、表示部３１に画像Ａ１と画像Ｂ１とが対比可能に表示され、ユーザの選択が促される。画像Ｂ１の方が画像Ａ１よりも所望の画像に近いとユーザが判断した場合、ユーザの操作により画像Ｂ１が選択され、選択された画像Ｂ１のタグ番号がインクリメントされる。
【００５４】
次に、図１１（ｂ）に示すように、新たに画像Ｃ１と画像Ｄ１とが表示部３１に対比可能に表示され、ユーザの選択が促される。画像Ｃ１の方が画像Ｄ１よりも所望の画像に近いとユーザが判断した場合、ユーザの操作により画像Ｃ１が選択され、選択された画像Ｃ１のタグ番号がインクリメントされる。
【００５５】
次に、図１１（ｃ）に示すように、前述の処理により選択された画像Ｂ１と画像Ｃ１とが表示部３１に対比可能に表示され、ユーザの選択が促される。画像Ｃ１の方が画像Ｂ１よりも所望の画像に近いとユーザが判断した場合、ユーザの操作により画像Ｃ１が選択される。これにより、選択された画像Ｃ１が最終的に所望の画像に最も近くなり、ユーザはグループＣの中から所望の画像を選択することができる。
【００５６】
以上説明したように、本実施形態に係るカメラによれば、ランク設定処理により設定されたランクの複数枚の画像が、表示処理により対比可能に表示され、その中の少なくとも１枚の画像が、画像選択処理により選択される。そして、ランク変更処理により各画像のランクが変更され、設定されたランクの画像が無くなったときに、ランク切り替え処理により表示する画像のランクが上げられるとともに、更新処理により全ての画像が新たな画像に入れ替えられる。
このようにすることで、複数枚の画像を対比させて各画像の優劣を決めることができる。そして、繰り返し処理により一連の処理を繰り返すことで、複数枚の画像からトーナメント方式で画像の選択が行われ、これにより複数枚の画像の順位付けを行うことが可能となる。
【００５７】
以上、本発明の各実施形態について図面を参照して詳述してきたが、具体的な構成はこの実施形態に限られるものではなく、本発明の要旨を逸脱しない範囲の設計変更等も含まれる。
例えば、本発明の各実施形態において、２枚の画像を対比可能に表示して１枚の画像を選択させることとして説明したが、３枚以上の画像を対比可能に表示して２枚以上の画像を選択することとしてもよい。また、残したい画像を選択することとして説明したが、不要な画像を選択し、選択された画像を入れ替えることとしてもよい。
【図面の簡単な説明】
【００５８】
【図１】本発明の第１の実施形態に係るカメラの上面図である。
【図２】図１のカメラの背面図である。
【図３】図１のカメラが備える機能を展開して示した機能ブロック図である。
【図４】図１のカメラの分割部の動作を説明する図である。
【図５】図１のカメラの画像選択処理を示すフローチャートである。
【図６】図１のカメラの画像選択時の動作を説明する図である。
【図７】本発明の第１の変形例に係るカメラの分割部の動作を説明する図であって、（ａ）は連写枚数が９枚の場合、（ｂ）は連写枚数が１３枚の場合である。
【図８】本発明の第２の変形例に係るカメラが備える機能を展開して示した機能ブロック図である。
【図９】図８のカメラの分割部の動作を説明する図である。
【図１０】本発明の第２の実施形態に係るカメラの画像選択処理を示すフローチャートである。
【図１１】図１０のカメラの画像選択時の動作を説明する図であって、（ａ）は画像Ａ１と画像Ｂ１とを比較する場合、（ｂ）は画像Ｃ１と画像Ｄ１とを比較する場合、（ｃ）は画像Ｂ１と画像Ｃ１とを比較する場合である。
【符号の説明】
【００５９】
１  カメラ
３  カメラ本体
５  レンズユニット
７  シャッタ操作部
９  撮像部
１７  記録部
１９  全体コントローラ
３１  表示部
４１  分割部
４３  代表画像決定部
４５  差異検出部
【図１】
2009124492.tif 000003
【図２】
2009124492.tif 000004
【図３】
2009124492.tif 000005
【図４】
2009124492.tif 000006
【図５】
2009124492.tif 000007
【図６】
2009124492.tif 000008
【図７】
2009124492.tif 000009
【図８】
2009124492.tif 000010
【図９】
2009124492.tif 000011
【図１０】
2009124492.tif 000012
【図１１】
2009124492.tif 000013